(57)【要約】【課題】  スイングの練習によりスイングチェックができ、ゴルフクラブで行う実打のときにも違和感を伴わない簡潔構造のスイングチェック簡易機能付きゴルフ練習用クラブを提供すること。【解決手段】  本発明のスイングチェック簡易機能付きゴルフ練習用クラブ１０は、先端側の先端にクラブヘッド２０を固定し後端側にグリップ３４を装着する第１のシャフト部３１と、第１のシャフト部３１の垂直上方向に並行に形成される第２のシャフト部３２と、第１のシャフト部３１と第２のシャフト部３２とを連結する第３のシャフト部３３とで一体に形成されたシャフト３０を備えることとした。【選択図】図１
2010207557.tif 000002
【特許請求の範囲】
【請求項１】
先端側の先端にクラブヘッドを固定し後端側にグリップを装着する第１のシャフト部と、前記第１のシャフト部の垂直上方向に並行に形成される第２のシャフト部と、前記第１のシャフト部と前記第２のシャフト部とを連結する第３のシャフト部とで一体に形成されたシャフトを備えたことを特徴とするスイングチェック簡易機能付きゴルフ練習用クラブ。
【請求項２】
前記第２のシャフト部は、補助グリップを装着することを特徴とする請求項１に記載のスイングチェック簡易機能付きゴルフ練習用クラブ。
【請求項３】
前記第３のシャフト部は、前記第１のシャフト部の方向に予め定めた傾斜角で傾斜させ補助グリップを装着し、前記第１のシャフト部の方向に向け前記第２のシャフト部の前記傾斜角と対象となる傾斜角で前記第２のシャフト部の先端に第４のシャフト部を形成し、前記第４のシャフト部に補助グリップを装着することを特徴とする請求項１に記載のスイングチェック簡易機能付きゴルフ練習用クラブ。
【請求項４】
前記クラブヘッドは、前後方向に対象となっていることを特徴とする請求項１ないし請求項２に記載のスイングチェック簡易機能付きゴルフ練習用クラブ。
【発明の詳細な説明】
【技術分野】
【０００１】  本発明は、スイングの練習によりスイングチェックができスクエア感覚が得られ、ゴルフクラブで行う実打のときにも違和感を伴わない簡潔構造のスイングチェック簡易機能付きゴルフ練習用クラブに関する。
【背景技術】
【０００２】  初心者にとってもゴルフを長年経験してきた人にとっても、ゴルフの上達は常に心がけていることでもある。ゴルフスクールなどで適切な指導を受け練習することは効果的であるが、従来から自宅で練習用の諸々の用具も提案されている。
従来の自宅で練習用の用具には、ゴルフクラブのシャフトに２本のグリップを溶接により並行に取り付けグリップ部を水平方向に２本とし、ゴルフクラブを２本としたゴルフ練習器具がある（例えば、特許文献１参照）。
また、ゴルフシャフト上に内部球体を内蔵した位置検知器を置き、グリップが正確な位置にきた時に、内部球体があらかじめ設定した位置検知器との接点に埋め込まれた伝導体と接触し電流が流れ、発光又は音声でその正確性を伝えるゴルフスイング練習器がある（例えば、特許文献２参照）。【０００３】
【特許文献１】  特開２００４−２４９０４９号公報
【特許文献２】  特開２００５−３４１８８号公報
【発明の開示】
【発明が解決しようとする課題】
【０００４】  しかしながら、特許文献１のゴルフスイング練習器は、ゴルフクラブを２本にすることにより正しいゴルフスイングが身につくとしても、実際にゴルフクラブでボールを打ったときには違和感が残る可能性がある。また、２本のグリップを溶接により並行に取り付けるため、機構と製造方法が複雑でもあるとも考えられる。
また、特許文献２のゴルフスイング練習器は、正確な位置でスイングしていることを利用者に伝えることができたとしても、機構と製造方法が複雑でもあると考えられる。
本発明は、上記の問題に鑑みてなされたものであって、スイングの練習によりスイングチェックができスクエア感覚が得られ、ゴルフクラブで行う実打のときにも違和感を伴わない簡潔構造のスイングチェック簡易機能付きゴルフ練習用クラブを提供することを目的とする。
【課題を解決するための手段】
【０００５】  本発明のスイングチェック簡易機能付きゴルフ練習用クラブは、先端側の先端にクラブヘッドを固定し後端側にグリップを装着する第１のシャフト部と、前記第１のシャフト部の垂直上方向に並行に形成される第２のシャフト部と、前記第１のシャフト部と前記第２のシャフト部とを連結する第３のシャフト部とで一体に形成されたシャフトを備えることとした。
また、前記第２のシャフト部は、補助グリップを装着することとした。
また、前記第３のシャフト部は、前記第１のシャフト部の方向に予め定めた傾斜角で傾斜させ補助グリップを装着し、前記第１のシャフト部の方向に向け前記第２のシャフト部の前記傾斜角と対象となる傾斜角で前記第２のシャフト部の先端に第４のシャフト部を形成し、前記第４のシャフト部に補助グリップを装着することとした。
さらに、前記クラブヘッドは、前後方向に対象となっていることとした。
【発明の効果】
【０００６】  本発明のスイングチェック簡易機能付きゴルフ練習用クラブは、先端側の先端にクラブヘッドを固定し後端側にグリップを装着する第１のシャフト部と、前記第１のシャフト部の垂直上方向に並行に形成される第２のシャフト部と、前記第１のシャフト部と前記第２のシャフト部とを連結する第３のシャフト部とで一体に形成されたシャフトを備えることとしたため、スイングの練習によりスイングチェックができスクエア感覚が得られ、ゴルフクラブで行う実打のときにも違和感を伴わないでスイングすることができる。
また、前記第２のシャフト部は、補助グリップを装着することとしたため、これにより正しいゴルフスイングを身につけることもできる。
また、前記第３のシャフト部は、前記第１のシャフト部の方向に予め定めた傾斜角で傾斜させ補助グリップを装着し、前記第１のシャフト部の方向に向け前記第２のシャフト部の前記傾斜角と対象となる傾斜角で前記第２のシャフト部の先端に第４のシャフト部を形成し、前記第４のシャフト部に補助グリップを装着することとしたため、これにより正しいゴルフスイングを身につけることもできる。
さらに、前記クラブヘッドは、前後方向に対象となっていることとしたため、右利きの人でも左利きの人でも使用することができる。
【発明を実施するための最良の形態】
【０００７】  以下、本発明の実施の形態のスイングチェック簡易機能付きゴルフ練習用クラブにつき説明する。
【実施例】
【０００８】  図１は、本発明の実施の形態のスイングチェック簡易機能付きゴルフ練習用クラブの正面図を示す。
図１に示すように、本発明の実施の形態のスイングチェック簡易機能付きゴルフ練習用クラブ１０は、クラブヘッド２０と、クラブヘッド２０のクラウン２４に形成されたホーゼル２１に固定したシャフト３０とで構成されている。
クラブヘッド２０のフェース２２には、実打もできるように複数のフェースライン溝２３が互いに平行に形成されている。
シャフト３０は、先端側の先端にクラブヘッド２０を固定し後端側にグリップ３４を装着する第１のシャフト部３１と、第１のシャフト部３１の垂直上方向に並行に形成される第２のシャフト部３２と、第１のシャフト部３１と第２のシャフト部３２とを連結する第３のシャフト部３３と、第２のシャフト部３２の先端に形成された第４のシャフト部３６とで一体的に形成されている。そのため、第１のシャフト部３１、第２のシャフト部３２、第３のシャフト部３３、第４のシャフト部３６で垂直面Ａが形成されている。
第３のシャフト部３３は、第１のシャフト部３１の方向に予め定めた傾斜角αで傾斜さしており、また、第４のシャフト部３６は、第１のシャフト部３１の方向に向け第３のシャフト部３３と対象となるように傾斜角αで形成されている。
第２のシャフト部３２には、第１の補助グリップ３５が装着され、また、第３のシャフト部３３には第２の補助グリップ３８が装着され、第４のシャフト部３６には第３の補助グリップ３７が装着されている。第１の補助グリップ３５、第２の補助グリップ３８、第３の補助グリップ３７の使用方法については、後で述べることとする。【０００９】  スイングチェック簡易機能付きゴルフ練習用クラブ１０は、アルミやスチールなどの管形状体を折り曲げ、第１のシャフト部３１、第２のシャフト部３２、第３のシャフト部３３、第４のシャフト部３６を形成し、第１のシャフト部３１にグリップ３４を挿入取付け、並行シャフト部３２に補助グリップ３４を挿入取付け、第３のシャフト部３３、第２のシャフト部３２、第４のシャフト部３６に順次第２の補助グリップ３８、第１の補助グリップ３５、第３の補助グリップ３７を挿入取付け、シャフト部３１の先端部をホーゼル２１に固定してクラブヘッド２０を取り付けて簡潔製造をすることができる。【００１０】  図２は、スイングチェック簡易機能付きゴルフ練習用クラブのクラブヘッドを示し、図２（ａ）は、クラブヘッドの正面図を示し、図２（ｂ）は、図２（ａ）の矢印で示すＡ−Ａ断面図を示す。
図２（ａ）に示すように、クラブヘッド２０は、クラウン２４には第１のシャフト部３１の固定用のホーゼル２１が形成されるとともに、複数のフェースライン溝２３が形成されたフェース２２が固定されている。
図２（ｂ）に示すように、クラブヘッド２０は、右利きの人でも左利きの人でも使用できるように、前後方向に対象となっている。クラウン２４には、前方向にフェース２２が固定板２２ａ、２２ｂにより固定され、後方向にフェース２２と対象形状のフェース２７が固定板２７ａ、２７ｂにより固定されている。【００１１】  スイングチェック簡易機能付きゴルフ練習用クラブ１０を使用し練習するときには、第１のシャフト部３１と第２のシャフト部３２とで形成されている垂直面Ａを垂直方向にしてグリップ３４をグリップしてアドレスし、素振りまたはスロースイングで、バックスイングでの腰の位置、トップの位置、インパクトの位置、フォローの位置、フィニッシの位置で垂直面Ａをチェックし、正しいアドレスやスイングを習得することができる。また、第１のシャフト部３１と先端にクラブヘッド２０を固定し後端側に装着したグリップ３４をグリップし練習するため、ゴルフクラブで行う実打のときにも違和感を伴うことはない。
また、スイングチェック簡易機能付きゴルフ練習用クラブ１０は、第１のシャフト部３１に装着したグリップ３４と、第２のシャフト部３２に第１のシャフト部３１と並行に装着した第１の補助グリップ３５とをグリップして練習し、正しいゴルフスイングを身につけることもできる。
さらに、第１のシャフト部３１を上側にして、第３のシャフト部３３に装着した第２の補助グリップ３８と、第４のシャフト部３６に装着した第３の補助グリップ３７をグリップして練習し、正しいゴルフスイングを身につけることもできる。【００１２】  以上述べたように、本発明の実施の形態のスイングチェック簡易機能付きゴルフ練習用クラブ１０は、スイングの練習によりスイングチェックができスクエア感覚が得られ、ゴルフクラブで行う実打のときにも違和感を伴わない簡潔構造となっている。
また、第１のシャフト部３１に装着したグリップ３４と、第２のシャフト部３２に装着した第１の補助グリップ３５とをグリップして正しいゴルフスイングを身につけることも、第２の補助グリップ３８と、第４のシャフト部３６に装着した第３の補助グリップ３７をグリップして正しいゴルフスイングを身につけることもできる。
なお、シャフト３０の長さは自在に設定して製造することができ、素振り専用とすることも、素振りも実打もできるようにすることもできる。
また、クラブヘッド２０は、右利きの人でも左利きの人でも使用できるようにしたが、この両用に限らず、右利き用や、左利き用にもすることができる。
【図面の簡単な説明】
【００１３】
【図１】  本発明の実施の形態のスイングチェック簡易機能付きゴルフ練習用クラブの正面図を示す。
【図２】  スイングチェック簡易機能付きゴルフ練習用クラブのクラブヘッドを示し、図２（ａ）は、クラブヘッドの正面図を示し、図２（ｂ）は、図２（ａ）の矢印で示すＡ−Ａ断面図を示す。
【符号の説明】
【００１４】  １０  ゴルフ練習用クラブ
２０  クラブヘッド
３０  シャフト
３１  第１のシャフト部
３２  第２のシャフト部
３３  第３のシャフト部
３４  グリップ
３５  第１の補助グリップ
３６  第４のシャフト部
３７  第３の補助グリップ
３８  第２の補助グリップ
【図１】
2010207557.tif 000003
【図２】
2010207557.tif 000004